(57)【特許請求の範囲】
【請求項１】
内部導体の外周に、順次、絶縁層、外部導体層、保護層を形成してなる極細同軸ケーブルを用いた多心ケーブルにおいて、銅又は銅合金からなり、外径が０．１２７ｍｍ以下の単線材で内部導体を形成し、その内部導体を用いて極細同軸ケーブルを形成し、複数本の極細同軸ケーブルを束ねて、長手方向に所定ピッチで平行固着部と非固着部とを交互に有する同軸ケーブルユニットを形成し、この同軸ケーブルユニットを撚って形成したことを特徴とする極細同軸ケーブルを用いた多心ケーブル。
【請求項２】
内部導体の外周に、順次、絶縁層、外部導体層、保護層を形成してなる極細同軸ケーブルを用いた多心ケーブルにおいて、銅又は銅合金からなり、外径が０．１２７ｍｍ以下の単線材で内部導体を形成し、その内部導体を用いて極細同軸ケーブルを形成し、その極細同軸ケーブルを複数本配列すると共に束ねて、長手方向に所定ピッチで平行固着部と非固着部とを交互に有する同軸ケーブルユニットを形成し、この同軸ケーブルユニットを複数ユニット撚り合わせて形成したことを特徴とする極細同軸ケーブルを用いた多心ケーブル。
【請求項３】
上記同軸ケーブルユニットは、少なくとも３本の極細同軸ケーブルを、平面状に、かつ、平行に配列して形成した請求項２記載の極細同軸ケーブルを用いた多心ケーブル。
【請求項４】
上記各同軸ケーブルユニットの、幅方向一方端から少なくとも１本の極細同軸ケーブルは、保護層の色を各ユニット毎に異ならせて形成した請求項２又は３に記載の極細同軸ケーブルを用いた多心ケーブル。
【請求項５】
内部導体の外周に絶縁層を形成してコアを形成し、そのコアを２本近接して配列すると共に、それらのコアの外周に、順次、外部導体層、保護層を形成してなる２心の極細同軸ケーブルを用いた多心ケーブルにおいて、銅又は銅合金からなり、外径が０．１２７ｍｍ以下の単線材で内部導体を形成し、その内部導体を用いて２心の極細同軸ケーブルを形成し、複数本の極細同軸ケーブルを束ねて、長手方向に所定ピッチで平行固着部と非固着部とを交互に有する同軸ケーブルユニットを形成し、この同軸ケーブルユニットを撚って形成したことを特徴とする極細同軸ケーブルを用いた多心ケーブル。
【請求項６】
内部導体の外周に絶縁層を形成してコアを形成し、そのコアを２本近接して配列すると共に、それらのコアの外周に、順次、外部導体層、保護層を形成してなる２心の極細同軸ケーブルを用いた多心ケーブルにおいて、銅又は銅合金からなり、外径が０．１２７ｍｍ以下の単線材で内部導体を形成し、その内部導体を用いて２心の極細同軸ケーブルを形成し、その極細同軸ケーブルを複数本配列すると共に束ねて、長手方向に所定ピッチで平行固着部と非固着部とを交互に有する同軸ケーブルユニットを形成し、この同軸ケーブルユニットを複数撚り合わせて形成したことを特徴とする極細同軸ケーブルを用いた多心ケーブル。
【請求項７】
上記同軸ケーブルユニットは、少なくとも４本の極細同軸ケーブルを、平面状に、かつ、平行に配列して形成した請求項６記載の極細同軸ケーブルを用いた多心ケーブル。
【請求項８】
上記各同軸ケーブルユニットの、幅方向一方端から少なくとも１本の２心極細同軸ケーブルは、保護層の色を各ユニット毎に異ならせて形成した請求項６又は７に記載の極細同軸ケーブルを用いた多心ケーブル。
【請求項９】
上記外部導体層は、外部導体と、編組シールド、横巻シールド、又は金属層付きテープシールド等とを複合させて形成した請求項１から８いずれかに記載の極細同軸ケーブルを用いた多心ケーブル。
【請求項１０】
請求項１から９いずれかに記載の多心ケーブルの、同軸ケーブルユニットの平行固着部に、一括外部シールド処理を施すと共に、各極細同軸ケーブルの端末部の絶縁層を剥離してなることを特徴とする多心ケーブル。
【発明の詳細な説明】
【０００１】
【発明の属する技術分野】
本発明は、極細同軸ケーブルを用いた多心ケーブル及びその接続端末部に係り、特に、内部導体の外径が０．１２７ｍｍ以下の極細同軸ケーブルを用いた多心ケーブル及びその接続端末部に関するものである。
【０００２】
【従来の技術】
多心ケーブルを構成する極細同軸ケーブルとしては、主に、単心の極細同軸ケーブルを用いるものと、２心の極細同軸ケーブルを用いるものの２種類が挙げられる。単心の極細同軸ケーブルは、内部導体の外周に、順次、絶縁層、外部導体層、保護層（ジャケット）を形成したものである。また、２心の極細同軸ケーブルは、内部導体の外周に絶縁層を形成してコアを形成し、そのコアを２本近接して配置すると共に、それらのコアの外周に、順次、外部導体層、保護層（ジャケット）を形成したものである。
【０００３】
単心（又は２心）の極細同軸ケーブルを、３〜２０本撚り合わせて（又は束ねて）同軸ケーブルユニットを形成し、同軸ケーブルユニットを複数撚り合わせる（又は束ねる）ことで、多心ケーブルを形成している。ここで、多心ケーブルにおいては、各ユニット内の極細同軸ケーブルのジャケット色を同じにし、かつ、各ユニットごとのジャケット色を変えることで、各ユニットの識別を行っている。
【０００４】
【発明が解決しようとする課題】
従来の多心ケーブルにおいては、各ユニット内の極細同軸ケーブルをコネクタ又は基板に接続する際、先ず、各極細同軸ケーブルごとに外部シールド処理及び絶縁層の剥離（皮むき）を行った後、コネクタ又は基板の接続端子のピッチに合わせて各極細同軸ケーブルの内部導体のピッチを整列させ、その後、内部導体をコネクタ又は基板の接続端子に接続している。ここで、内部導体のピッチを整列させる際、接続されるコネクタ又は基板の各接続端子に対応して整列させなければならないため、各極細同軸ケーブルの識別を行う必要がある。
【０００５】
しかし、各ユニット内の極細同軸ケーブルのジャケット色は全て同じであることから、目視だけで各極細同軸ケーブルの識別を行うことは不可能であり、各極細同軸ケーブルごとに導通確認を行って識別を行う以外に方法はなかった。このため、内部導体の接続作業に多大な労力・時間を要するという問題があった。
【０００６】
また、従来の極細同軸ケーブルにおいては、内部導体に十分な耐屈曲性を持たせるために、内部導体として、銅線又は銅合金線の撚線材を用いている。このため、各極細同軸ケーブルの絶縁層の剥離を行った後は、各内部導体の撚りが解けて端末がバラバラになってしまう。各内部導体の端末をコネクタ又は基板の接続端子にはんだ付けによりそれぞれ接続すると、各接続部間で接続強度に大きなバラツキが生じてしまうという問題があった。
【０００７】
また特に、２心の極細同軸ケーブルを用いた多心ケーブルにおいては、複数本の極細同軸ケーブルを束ねて同軸ケーブルユニットを形成する際、各極細同軸ケーブルを撚り合わせて束ねるのではなく、各極細同軸ケーブルに端末加工を行った後、撚り合わせることなく単にテープ等で束ねている。このため、同軸ケーブルユニットの屈曲特性が非常に悪く、屈曲特性を良好にするために、各極細同軸ケーブルを撚り合わせて束ねることが望まれている。
【０００８】
しかし、従来においては、コアの識別を容易にするために、２心の極細同軸ケーブルの撚り合わせを行なっていなかった。具体的には、２心の同軸ケーブルは、両コアの絶縁層の色分けを行うことでコアの識別を行うことができるが、内部導体の外径が０．１２７ｍｍ以下のコアの場合、コア径が非常に小さいことから、目視によるコアの識別は困難である。ここで、極細同軸ケーブル単体であれば、反転がないように揃えることで容易にコアの識別を行うことができるが、極細同軸ケーブル単体であっても撚り合わせを行うと、何回反転しているのかわからなくなるため、導通確認によるコアの識別が必要となる。
【０００９】
また、複数本の極細同軸ケーブルを撚り合わせた場合、各極細同軸ケーブルごとに反転回数が異なってくることから、反転回数が多い極細同軸ケーブルほど、遅延時間が大きくなり、極細同軸ケーブルの両コア間の遅延時間の差（以下、対間ｓｋｅｗと示す）が大きくなるという問題があった。
【００１０】
以上の事情を考慮して創案された本発明の一の目的は、多心ケーブルを構成する各極細同軸ケーブルの識別が容易な極細同軸ケーブルを用いた多心ケーブルを提供することにある。
【００１１】
本発明の他の目的は、接続端末部の接続性が良好な多心ケーブルの接続端末部を提供することにある。
【００１２】
【課題を解決するための手段】
上記目的を達成すべく第１の実施の形態に係る極細同軸ケーブルを用いた多心ケーブルは、内部導体の外周に、順次、絶縁層、外部導体層、保護層を形成してなる極細同軸ケーブルを用いた多心ケーブルにおいて、銅又は銅合金からなり、外径が０．１２７ｍｍ以下の単線材で内部導体を形成し、その内部導体を用いて極細同軸ケーブルを形成し、複数本の極細同軸ケーブルを束ねて、長手方向に所定ピッチで平行固着部と非固着部とを交互に有する同軸ケーブルユニットを形成し、この同軸ケーブルユニットを撚って形成したものである。
【００１３】
第２の実施の形態に係る極細同軸ケーブルを用いた多心ケーブルは、内部導体の外周に、順次、絶縁層、外部導体層、保護層を形成してなる極細同軸ケーブルを用いた多心ケーブルにおいて、銅又は銅合金からなり、外径が０．１２７ｍｍ以下の単線材で内部導体を形成し、その内部導体を用いて極細同軸ケーブルを形成し、その極細同軸ケーブルを複数本配列すると共に束ねて、長手方向に所定ピッチで平行固着部と非固着部とを交互に有する同軸ケーブルユニットを形成し、この同軸ケーブルユニットを複数ユニット撚り合わせて形成したものである。
【００１４】
また、上記同軸ケーブルユニットは、少なくとも３本の極細同軸ケーブルを、平面状に、かつ、平行に配列して形成してもよい。
【００１５】
また、上記各同軸ケーブルユニットの、幅方向一方端から少なくとも１本の極細同軸ケーブルは、保護層の色を各ユニット毎に異ならせて形成してもよい。
【００１６】
第３の実施の形態に係る極細同軸ケーブルを用いた多心ケーブルは、内部導体の外周に絶縁層を形成してコアを形成し、そのコアを２本近接して配列すると共に、それらのコアの外周に、順次、外部導体層、保護層を形成してなる２心の極細同軸ケーブルを用いた多心ケーブルにおいて、銅又は銅合金からなり、外径が０．１２７ｍｍ以下の単線材で内部導体を形成し、その内部導体を用いて２心の極細同軸ケーブルを形成し、複数本の極細同軸ケーブルを束ねて、長手方向に所定ピッチで平行固着部と非固着部とを交互に有する同軸ケーブルユニットを形成し、この同軸ケーブルユニットを撚って形成したものである。
【００１７】
第４の実施の形態に係る極細同軸ケーブルを用いた多心ケーブルは、内部導体の外周に絶縁層を形成してコアを形成し、そのコアを２本近接して配列すると共に、それらのコアの外周に、順次、外部導体層、保護層を形成してなる２心の極細同軸ケーブルを用いた多心ケーブルにおいて、銅又は銅合金からなり、外径が０．１２７ｍｍ以下の単線材で内部導体を形成し、その内部導体を用いて２心の極細同軸ケーブルを形成し、その極細同軸ケーブルを複数本配列すると共に束ねて、長手方向に所定ピッチで平行固着部と非固着部とを交互に有する同軸ケーブルユニットを形成し、この同軸ケーブルユニットを複数ユニット撚り合わせて形成したものである。
【００１８】
また、上記同軸ケーブルユニットは、少なくとも４本の極細同軸ケーブルを、平面状に、かつ、平行に配列して形成してもよい。
【００１９】
また、上記各同軸ケーブルユニットの、幅方向一方端から少なくとも１本の２心極細同軸ケーブルは、保護層の色を各ユニット毎に異ならせて形成してもよい。
【００２０】
また、上記外部導体層は、外部導体と、編組シールド、横巻シールド、又は金属層付きテープシールド等とを複合させて形成してもよい。
【００２１】
以上の構成によれば、多心ケーブルを構成する各極細同軸ケーブルの識別が容易な極細同軸ケーブルを用いた多心ケーブルを得ることができる。
【００２２】
一方、第１の実施の形態に係る多心ケーブルは、同軸ケーブルユニットの平行固着部に、一括外部シールド処理を施すと共に、各極細同軸ケーブルの端末部の絶縁層を剥離したものである。
【００２３】
以上の構成によれば、接続端末部の接続性が良好な多心ケーブルの接続端末部を得ることができる。
【００２４】
【発明の実施の形態】
以下、本発明の好適一実施の形態を添付図面に基いて説明する。
【００２５】
（第１の実施の形態）
単心の極細同軸ケーブルの断面図を図１に、図１の極細同軸ケーブルを用いた同軸ケーブルユニットの断面図及び平面図を図２に示す。ここで、図２（ａ）は横断面図、図２（ｂ）は平面図を示している。
【００２６】
第１の実施の形態に係る極細同軸ケーブルを用いた多心ケーブルは、図１に示すように、銅又は銅合金からなり、外径が０．１２７ｍｍ以下の単線材で内部導体１１を形成し、その内部導体１１の外周に、順次、絶縁層１２、外部導体層１４、保護層（ジャケット）１５を形成して極細同軸ケーブル１０を形成し、その極細同軸ケーブル１０を、図２に示すように、少なくとも３本、好ましくは３〜２０本（図２中では１６本）、平面状に、かつ、平行に配列すると共に、そのケーブル群の両面（図２中では上下面）に、長手方向に所定ピッチで束ねテープ２１ａ，２１ｂを貼り付けて平行固着部２２と非固着部２３を交互に有する同軸ケーブルユニット２０を形成し、この同軸ケーブルユニット２０を撚って形成したものである。撚ったユニット２０の周りには、適宜、編組シールド及びシース等が被覆される。
【００２７】
平行固着部２２の長手方向の長さＬ１と非固着部２３の長手方向の長さＬ２との合計長さは、多心ケーブルの加工長さと同じ長さとなるように形成する。また、平行固着部２２における内部導体１１の配列ピッチｐと、コネクタ又は基板における接続端子のピッチとが同ピッチとなるように、各ケーブル１０の離間距離を調節して配列する。
【００２８】
内部導体１１を構成する単線材としては、ケーブル１０の耐屈曲性を確保するために、引張強度８００ＭＰａ以上の強度を有する銅合金が好ましい。これは、内部導体１１を単線材で形成すると、ケーブル１０の可撓性が低下するためである。この単線材としては、例えば、Ｃｕ−Ｓｎ系合金、Ｃｕ−Ａｇ系合金、Ｃｕ−Ａｇ−Ｍｇ系合金、Ｃｕ−Ｃｒ系合金、Ｃｕ−Ｆｅ系合金、又はＣｕ−Ｎｂ系合金からなる線材の周囲に、Ａｇめっき又はＳｎめっきを被覆したもの等が挙げられる。
【００２９】
外部導体層１４は、多数本（図１中では３１本）の外部導体１４ａを、絶縁層１２の周りに横巻きすることで形成する。外部導体１４ａとしては、内部導体１１を構成する単線材と同じ線材を用いることが好ましい。また、外部導体層１４は、外部導体１４ａと、編組シールド、横巻シールド、又は金属層付きテープシールド（図示せず）等とを複合させて形成してもよい。
【００３０】
束ねテープ２１ａ，２１ｂを構成するテープ材の構成材は、特に限定するものではなく、例えば、ポリエステルフィルム等が挙げられる。また、テープ材の片面に形成する接着層の構成樹脂としては、特に限定するものではないが、例えば、アクリル系、合成ゴム系などが挙げられる。
【００３１】
束ねテープ２１ａ，２１ｂのテープ厚は特に限定するものではないが、ケーブル１０の外径を１とした場合、例えば、０．１〜０．３、好ましくは０．１５〜０．２である。
【００３２】
本実施の形態の多心ケーブルの同軸ケーブルユニット２０においては、束ねテープ２１ａ，２１ｂにより全ての極細同軸ケーブル１０を束ねているが、特にこれに限定するものではない。例えば、極細同軸ケーブル１０のジャケット１５をＰＶＣ樹脂などの自己融着性樹脂で形成し、そのケーブル１０を複数本、平面状に、かつ、平行に配列すると共に、長手方向に所定ピッチで加熱して平行固着部２２と非固着部２３とを形成するようにしてもよい。
【００３３】
次に、本実施の形態の作用を説明する。
【００３４】
本実施の形態の多心ケーブルにおいては、多心ケーブルを構成する極細同軸ケーブル１０の内部導体１１を単線材で形成していることから、各内部導体１１の端末とコネクタ（又は基板）の接続端子との接続を行う際に各極細同軸ケーブル１０の絶縁層１２を除去しても、各内部導体１１の端末がバラバラになるということはない。よって、各内部導体１１の端末とコネクタ（又は基板）の接続端子とを、はんだ付けにより接続する際、安定してはんだ付けを行うことができ、また、各接続部の接続強度は略一定となる。
【００３５】
また、内部導体１１を単線材で形成したものと、内部導体１１を撚線材で形成したものとを比較すると、同じ導体抵抗を得るための外径は、単線材で形成した内部導体１１の方が小さい。その結果、内部導体１１を撚線材で形成した従来の極細同軸ケーブルと比較して、極細同軸ケーブル１０の外径をより小さくすることが可能となり、延いては多心ケーブルの外径をより小さくすることができる。
【００３６】
さらに、同軸ケーブルユニット２０の長手方向に所定ピッチで平行固着部２２を形成していることから、このケーブルユニット２０の、ある平行固着部２２に、一括外部シールド処理を施すと共に各極細同軸ケーブル１０の絶縁層１２を剥離することで、容易に接続端末部を形成することができる。この接続端末部がコネクタ（又は基板）の接続端子と接続されるが、その接続性は良好である（接続が容易である）。
【００３７】
また、同軸ケーブルユニット２０の長手方向に所定ピッチで非固着部２３を形成しており、この非固着部２３の長さＬ２は平行固着部２２の長さＬ１よりも十分に長いため、ケーブルユニット２０（多心ケーブル）の可撓性（屈曲性）を損なうおそれはない。
【００３８】
さらに、本実施の形態の多心ケーブルにおいて、同軸ケーブルユニット２０内の、幅方向一方端（図２（ａ）中では右端又は左端）の１本の極細同軸ケーブル１０について、ジャケット１５の色を変えて形成することが好ましい。この多心ケーブルは、先ず複数本の極細同軸ケーブル１０を束ねて、長手方向に所定ピッチで平行固着部２２と非固着部２３ととを交互に有する同軸ケーブルユニット２０を形成し、このユニット２０を撚って形成している。このため、撚った後においても、ユニット２０の両端末におけるケーブル１０の配列は、撚る前と同じ状態に保持されている。よって、ユニット２０内の、幅方向一方端の１本のケーブル１０のジャケット１５について、その色を変えることで、その色を変えたジャケット１５が目印となって、コネクタ（又は基板）に対するユニット２０（多心ケーブル）の取付け方向の視認性が向上する。
【００３９】
次に、本発明の他の実施の形態を添付図面に基いて説明する。
【００４０】
（第２の実施の形態）
図２の同軸ケーブルユニットを用いた多心ケーブルの平面図を図３に示す。尚、図２と同様の部材には同じ符号を付し、説明を省略している。
【００４１】
第２の実施の形態に係る極細同軸ケーブルを用いた多心ケーブル３０は、図３に示すように、前実施の形態の同軸ケーブルユニット２０（図２参照）を複数ユニット（例えば、１２ユニット）撚り合わせ、その周りに編組シールド３１、及びシース３２を被覆したものである。
【００４２】
また、多心ケーブル３０の接続端末部は、多心ケーブル３０を構成する各ユニット２０のある平行固着部２２に、一括外部シールド処理を施すと共に、ユニット２０を構成する各極細同軸ケーブル１０の絶縁層１２を剥離することで、容易に接続端末部を形成することができる。
【００４３】
本実施の形態の多心ケーブル３０においては、各同軸ケーブルユニット２０の、幅方向一方端（図２（ａ）中では右端又は左端）から少なくとも１本の極細同軸ケーブル１０について、ジャケット１５の色を各ユニット毎に異ならせて形成することが好ましい。幅方向一方端から少なくとも１本のケーブル１０のジャケット１５について、その色の組み合わせを変えることで、識別に用いるジャケット１５の色数を、従来と比較して少なくすることができる。具体的には、従来の多心ケーブルにおいては、同軸ケーブルユニット２０の数が例えば９個、１６個であった場合、識別に必要なジャケットの色数は９色、１６色であった。これに対して、本実施の形態の多心ケーブル３０においては、例えば、幅方向一方端から２本のケーブル１０について、ジャケット１５の色を各ユニット毎に異ならせて形成することで、即ち各ユニット２０の、第１のケーブル１０のジャケット１５、第２のケーブル１０のジャケット１５、及び第３〜第１６のケーブル１０のジャケット１５の色の組み合わせを変えることで、同軸ケーブルユニット２０の数が例えば９個、１６個であっても、識別に必要なジャケット１５の色数は３色、４色となり、色数を少なく抑えることができる。
【００４４】
つまり、同軸ケーブルユニット２０を構成する各極細同軸ケーブル１０のジャケット１５の色の組み合わせが、各ユニット２０毎に異なることから、目視だけで容易に各ユニット２０の識別を行うことができる。また、各ユニット２０の幅方向一方端から少なくとも１本のケーブル１０について、ジャケット１５の色を変えているため、その色を変えたジャケット１５が目印となって、コネクタ（又は基板）に対するユニット２０の取付け方向の視認性が良好となる。よって、多心ケーブル３０の各接続端末部とコネクタ（又は基板）の接続端子との接続の際、目視だけで容易に各ケーブル１０及び各ユニット２０の識別が可能であることから、その接続作業に要する労力及び／又は時間は、従来と比較して著しく少なく及び／又は短くなる。
【００４５】
また、本実施の形態の多心ケーブル３０においても、第１の実施の形態の多心ケーブルと同様の作用効果が得られる。
【００４６】
（第３の実施の形態）
２心の極細同軸ケーブルの断面図を図４に、図４の極細同軸ケーブルを用いた同軸ケーブルユニットの断面図及び平面図を図５に示す。ここで、図５（ａ）は横断面図、図５（ｂ）は平面図を示している。尚、図１及び図２と同様の部材には同じ符号を付し、説明を省略している。
【００４７】
第１の実施の形態に係る極細同軸ケーブルを用いた多心ケーブルは、単心の極細同軸ケーブル１０を用いて形成したものであった。
【００４８】
これに対して、第３の実施の形態に係る極細同軸ケーブルを用いた多心ケーブルは、図４に示すように、銅又は銅合金からなり、外径が０．１２７ｍｍ以下の単線材で内部導体１１を形成し、その内部導体１１の外周に絶縁層１２を形成してコア４３ａ，４３ｂを形成し、コア４３ａ，４３ｂを近接して配列すると共に、その周りに、順次、外部導体層１４、保護層（ジャケット）１４を形成して極細同軸ケーブル４０を形成し、その極細同軸ケーブル４０を、図５に示すように、少なくとも４本、好ましくは４〜１０本（図５中では４本）、平面状に、かつ、平行に配列すると共に、そのケーブル群の両面（５２中では上下面）に、長手方向に所定ピッチで束ねテープ２１ａ，２１ｂを貼り付けて平行固着部２２と非固着部２３とを交互に有する同軸ケーブルユニット５０を形成し、この同軸ケーブルユニット５０を撚って形成したものである。撚ったユニット５０の周りには、適宜、編組シールド及びシース等が被覆される。
【００４９】
ここで、極細同軸ケーブル４０におけるコア４３ａ，４３ｂの配列方向と、同軸ケーブルユニット５０における各ケーブル４０の配列方向とが、同じ方向となるように形成する。また、外部導体層１４は、外部導体（図示せず）と、編組シールド、横巻シールド、又は金属層付きテープシールド（図示せず）等とを複合させて形成する。
【００５０】
本実施の形態に係る多心ケーブルにおいては、先ず複数本の極細同軸ケーブル４０を束ねて、長手方向に所定ピッチで平行固着部２２と非固着部２３とを交互に有する同軸ケーブルユニット５０を形成し、このユニット５０を撚っているため、従来の同軸ケーブルユニット（複数本の極細同軸ケーブルを撚り合わせることなく単にテープ等で束ねたもの）と比較して、ユニットの屈曲特性が良好となる。また、この時、複数本の極細同軸ケーブル４０群を長手方向全体に亘って固着するのではなく、非固着部２３の長さＬ２が、平行固着部２２の長さＬ１よりも十分に長くなるようにしているため、ケーブルユニット５０（多心ケーブル）の可撓性（屈曲性）を損なうおそれはない。
【００５１】
また、本実施の形態に係る多心ケーブルにおいては、複数本の極細同軸ケーブル４０を直接撚り合わせるのではなく、ユニット５０を撚っているため、ユニット５０内の各ケーブル４０の反転回数は全て同じとなる。よって、各ケーブル４０の対間ｓｋｅｗを非常に小さく抑えることができる。
【００５２】
さらに、本実施の形態の多心ケーブルにおいて、同軸ケーブルユニット５０内の、幅方向一方端（図５（ａ）中では右端又は左端）の１本の極細同軸ケーブル４０について、ジャケット１５の色を変えて形成することが好ましい。この多心ケーブルは、ユニット５０を撚って形成したものであるため、撚った後においても、ユニット５０の両端末におけるケーブル４０の配列は、撚る前と同じ状態に保持されている。よって、ユニット５０内の、幅方向一方端の１本のケーブル４０のジャケット１５について、その色を変えることで、その色を変えたジャケット１５が目印となって、コア４３ａ，４３ｂの各絶縁層１２の色分けを行わなくても、目視だけでコア４３ａ，４３ｂの識別を行うことができると共に、コネクタ（又は基板）に対するユニット５０（多心ケーブル）の取付け方向の視認性が良好となる。
【００５３】
本実施の形態の多心ケーブルにおいても、第１の実施の形態の多心ケーブルと同様の作用効果が得られる。
【００５４】
（第４の実施の形態）
図５の同軸ケーブルユニットを用いた多心ケーブルの平面図を図６に示す。尚、図５と同様の部材には同じ符号を付し、説明を省略している。
【００５５】
第４の実施の形態に係る極細同軸ケーブルを用いた多心ケーブル６０は、図６に示すように、前実施の形態の同軸ケーブルユニット５０（図５参照）を複数ユニット（例えば、４ユニット）撚り合わせ、その周りに編組シールド３１、及びシース３２を被覆したものである。
【００５６】
本実施の形態の多心ケーブル６０においては、各同軸ケーブルユニット５０の、幅方向一方端（図５（ａ）中では右端又は左端）から少なくとも１本の極細同軸ケーブル１０について、ジャケット１５の色を各ユニット毎に異ならせて形成することが好ましい。具体的には、本実施の形態の多心ケーブル６０においては、各ユニット５０の、第１のケーブル１０のジャケット１５、及び第２〜第４のケーブル１０のジャケット１５の色の組み合わせを変えることで、各ユニット５０の識別を容易に行うことができる。例えば、同軸ケーブルユニット５０の数が４個の場合、ジャケットの色数は４色で識別が可能となる。
【００５７】
つまり、同軸ケーブルユニット５０を構成する各極細同軸ケーブル４０のジャケット１５の色の組み合わせが、各ユニット５０毎に異なることから、目視だけで容易に各ユニット５０の識別を行うことができる。また、各ユニット５０の幅方向一方端から少なくとも１本のケーブル４０について、ジャケット１５の色を変えているため、その色を変えたジャケット１５が目印となって、コネクタ（又は基板）に対するユニット５０の取付け方向の視認性が良好となる。よって、多心ケーブル６０の各接続端末部とコネクタ（又は基板）の接続端子との接続の際、目視だけで容易に各ケーブル４０及び各ユニット５０の識別が可能であることから、その接続作業に要する労力及び／又は時間は、従来と比較して著しく少なく及び／又は短くなる。
【００５８】
また、本実施の形態の多心ケーブル６０においても、第３の実施の形態の多心ケーブルと同様の作用効果が得られる。
【００５９】
以上、本発明の実施の形態は、上述した実施の形態に限定されるものではなく、他にも種々のものが想定されることは言うまでもない。
【００６０】
【実施例】
（実施例１）
外径０．０７９ｍｍ（４０ＡＷＧ）、引張強度８５０ＭＰａのＳｎめっき銅合金線の単線材の周りにＰＦＡ樹脂からなる絶縁層を押出形成して外径０．２２ｍｍのコアを形成し、このコアの周りに素線径０．０３２ｍｍのＳｎめっき銅線を２４本横巻きして外部導体層を形成し、その外部導体層の周りにポリエステルテープを巻回してジャケットを形成し、外径０．３３ｍｍの単心の極細同軸ケーブルを形成する。
【００６１】
次に、この極細同軸ケーブルを、配列ピッチ０．５ｍｍで１６本、平面状に、かつ、平行に配列すると共に、そのケーブル群の両面に、長手方向に所定間隔で接着層付きポリエステルテープを貼り付けて、長さ６０ｍｍの平行固着部と長さ４４０ｍｍの非固着部とを交互に有する同軸ケーブルユニットを形成する。
【００６２】
この同軸ケーブルユニットを１２ユニット撚り合わせ、その周りに編組シールド及びＰＶＣ樹脂からなるシースを被覆して多心ケーブルを作製する。
【００６３】
（実施例２）
外径０．０７９ｍｍ（４０ＡＷＧ）、引張強度８５０ＭＰａのＳｎめっき銅合金線の単線材の周りにＰＦＡ樹脂からなる絶縁層を押出形成して外径０．２２ｍｍのコアを形成し、このコアの周りに素線径０．０３２ｍｍのＳｎめっき銅線を２４本横巻きして外部導体層を形成し、その外部導体層の周りにＰＶＣ樹脂からなるジャケットを押出形成し、外径０．５ｍｍの単心の極細同軸ケーブルを形成する。
【００６４】
次に、この極細同軸ケーブルを、近接して１６本、平面状に、かつ、平行に配列すると共に、長手方向に所定間隔で熱風による加熱処理を施し、長さ６０ｍｍの平行固着部と長さ４４０ｍｍの非固着部とを交互に有する同軸ケーブルユニットを形成する。
【００６５】
この同軸ケーブルユニットを１２ユニット撚り合わせ、その周りに編組シールド及びＰＶＣ樹脂からなるシースを被覆して多心ケーブルを作製する。
【００６６】
（実施例３）
外径０．０７９ｍｍ（４０ＡＷＧ）、引張強度８５０ＭＰａのＳｎめっき銅合金線の単線材の周りにＰＦＡ樹脂からなる絶縁層を押出形成して外径０．１９ｍｍのコアを形成し、このコアを近接して配列すると共に、このコア群の周りに素線径０．０４ｍｍのＳｎめっき銅線からなる編組シールを被覆して外部導体層を形成し、その外部導体層の周りにポリエステルテープを巻回してジャケットを形成し、高さ０．４２ｍｍ、横幅０．６１ｍｍの２心の極細同軸ケーブルを形成する。
【００６７】
次に、この極細同軸ケーブルを、配列ピッチ１．０ｍｍで４本、平面状に、かつ、平行に配列すると共に、そのケーブル群の両面に、長手方向に所定間隔で接着層付きポリエステルテープを貼り付けて、長さ６０ｍｍの平行固着部と長さ４４０ｍｍの非固着部とを交互に有する同軸ケーブルユニットを形成する。
【００６８】
この同軸ケーブルユニットを４ユニット撚り合わせ、その周りに編組シールド及びＰＶＣ樹脂からなるシースを被覆して多心ケーブルを作製する。
【００６９】
実施例１，２、実施例３の多心ケーブルの、同軸ケーブルユニット内の各極細同軸ケーブルのジャケット色の組み合わせを表１、表２に示す。
【００７０】
【表１】
0003719218.tif 000002
【００７１】
【表２】
0003719218.tif 000003
【００７２】
表１に示すように、実施例１，２の多心ケーブルにおいては、各同軸ケーブルユニットを構成する１６本の極細同軸ケーブルの、幅方向一方端から２本の極細同軸ケーブルのジャケット色の組み合わせをそれぞれ変えていることで、１９２心の極細同軸ケーブルをわずか４色で容易に識別することができた。また、表２に示すように、実施例３の多心ケーブルにおいては、各同軸ケーブルユニットを構成する４本の極細同軸ケーブルの、幅方向一方端から１本の極細同軸ケーブルのジャケット色の組み合わせをそれぞれ変えていることで、１６対心の極細同軸ケーブルを４色で容易に識別することができた。よって、実施例１〜３のいずれの多心ケーブルにおいても、多心ケーブルを構成する各極細同軸ケーブルの識別が容易であった。
【００７３】
また、実施例１〜３のいずれの多心ケーブルにおいても、コネクタの接続端子のピッチと同ピッチに、同軸ケーブルユニットにおける極細同軸ケーブルの配列ピッチを予め調整して形成しているため、接続端末部の接続が容易であった。
【００７４】
【発明の効果】
以上要するに本発明によれば、次のような優れた効果を発揮する。
【００７５】
（１）  複数本の極細同軸ケーブルを束ねて、長手方向に所定ピッチで平行固着部と非固着部とを交互に有する同軸ケーブルユニットを形成し、この同軸ケーブルユニットを撚って多心ケーブルを形成することで、多心ケーブルを構成する各極細同軸ケーブルの識別が容易となる。
【００７６】
（２）  （１）の多心ケーブルを用いることで、接続性が良好な接続端末部を得ることができる。
【図面の簡単な説明】
【図１】単心の極細同軸ケーブルの断面図である。
【図２】図１の極細同軸ケーブルを用いた同軸ケーブルユニットの断面図及び平面図である。
【図３】図２の同軸ケーブルユニットを用いた多心ケーブルの平面図である。
【図４】２心の極細同軸ケーブルの断面図である。
【図５】図４の極細同軸ケーブルを用いた同軸ケーブルユニットの断面図及び平面図である。
【図６】図５の同軸ケーブルユニットを用いた多心ケーブルの平面図である。
【符号の説明】
１０，４０  極細同軸ケーブル
１１  内部導体
１２  絶縁層
１４  外部導体層
１４ａ  外部導体（外部導体層）
１５  ジャケット（保護層）
２０，５０  同軸ケーブルユニット
２２  平行固着部
２３  非固着部
３０，６０  多心ケーブル
【図１】
0003719218.tif 000004
【図２】
0003719218.tif 000005
【図３】
0003719218.tif 000006
【図４】
0003719218.tif 000007
【図５】
0003719218.tif 000008
【図６】
0003719218.tif 000009